(57)【要約】【課題】  一定期間使用した履物の底面を目視すると、幼児期からの個人の癖により履物の一部分消耗又は、すり減り現象が目視できるが足本来の歩行、走行、運動の際正しい足の使い方を把握し、是正する事が出来ないという欠点があった。【解決手段】靴若しくは、履物の底面と、足裏が接する靴又は履物内部上面との間に空間空洞室を設け、その空間室内に自由に移動する一定質量を持つ球体を入れる事により、球体の位置による荷重の変化と、空間空洞部の前後若しくは、左右の壁面部との球体の緩衝により使用者が体感出来る目的で、空間空洞部をもつ構造を特徴とする履物。【選択図】図１
2016049426.tif 000002
【特許請求の範囲】
【請求項１】
本発明は踵部分、若しくは、土踏まず前の部分から爪先部分までの間に、履物又は、靴の底面と足裏に接する靴内部上面との間に空間空洞部を設け、その密封された空間部に、自由に移動可能な球体を入れることを特徴とする履物。
【請求項２】
空間空洞部に湾曲部、若しくは傾斜を、設けたことを特徴とする請求項１に記載の履物。
【請求項３】
空間空洞部の中の球体を交換可能とする目的の為に、足裏に接する靴中敷を着脱可能する空間部を設けたことを特徴とする請求項１に記載の履物。
【発明の詳細な説明】
【技術分野】
【０００１】  本発明は履物を履き歩行、走行、運動中に適した履物に関する。
【背景技術】
【０００２】  健康を目的として靴底の底面に、意図的に傾斜や湾曲形状持つ構造で、歩行の改善を導く考案製品、おうとつや突起を用いた部分で、足裏を刺激し血行、マッサージ効果を目的とした考案製品、靴底にクッション効果を目的とした材料を充填ならびに、空気室での足首、踵に掛かる負担を軽減するなど考案、実用化されている。
【先行技術文献】
【０００３】
【特許文献１】特開平７−１６１０４号
【特許文献２】特開昭６２−１５９６０１号
【特許文献３】特開平２−７４２０２号
【特許文献４】特開昭６３−１０２７０１号
【特許文献６】特開平１０−６６６０４号
【特許文献７】特開昭５７−５００９１３号
【特許文献８】特開昭６１−９０６０２号
【特許文献９】特開２００１−５４４０４号
【実用文献５】
実開昭５８−１４４４０２号
【発明の概要】
【発明が解決しようとする課題】
【０００４】  例えば、靴内部に衝撃緩和構造を目的とした、特開平７−１６１０４号、特開昭６２−１５９６０１号、特開平２−７４２０２号、靴内部に空洞部の構造を持つ、特開昭６３−１０２７０１号、実開昭５８−１４４４０２号、特開平１０−６６６０４号、靴底の形状若しくは、靴形状により是正を目的とした、特開昭５７−５００９１３号、特開昭６１−９０６０２号、球体を充填し足裏を刺激し血行、マッサージ効果を目的とした、特開２００１−５４４０４号などの考案があるが、靴底や、靴内部構造、形状に沿って歩行、歩行する物であり、足本来の歩行、走行、運動の際、使用中正しい足の使い方を把握し是正する事が出来ないという欠点があった。往来の靴の形状の変化だけでは自分自身がどのように足を使い、歩行、走行、運動しているのか、分かり難く又をそれ解明するには第三者による目測やビデオ撮影、写真撮影、等でなければ確認できなく、個々個人の癖による足の使い方を詳細に個人自身で、体感し思考するのが難しく、増して献上者が障害者への足の使い方を伝えるのが困難であった。
【課題を解決するための手段】
【０００５】  本発明は、課題とされる部分に履物若しくは、靴の底面と足裏が接する履物、又は靴内部上面との間に空間空洞室を設け、その空間室内に自由に移動する一定質量を持つ球体を、入れる事により球体の位置による荷重の変化と空間空洞部の前後若しくは、左右の壁面部との球体の緩衝により使用者が体感出来る目的で、空間空洞部をもつ構造を特徴とする履物。
【発明の効果】
【０００６】  歩行、走行の時もっとも重要と考えられる着地の際、一定期間使用した履物の底面を目視すると、幼児期からの個人の癖により履物の踵の部分は、内側若しくは、外側の部分が消耗、すり減り現象が目視できるが、新たに履物を交換し癖を正す努力や意識をしても持続せず同じ結果の繰り返しで難しい課題であり又、健康を目的としてウォーキング等の歩行、走行も距離や時間だけに捉われて、足の疲れや足の痛みも個人差と考えられるが、正しい歩行、走行が出来ているか、考案の履物を使用する事で明白に確認でき、日常の生活での歩行、走行の場合でも履物の外観形状は、一般的な履物である物であり、使用する本人が、球体の位置を意識した時の場合のみで効果が有る為に、自身のペース、リズムで使用できる。先行文献にある  特開２００１−５４４０４号の履物若しくは、靴の底面形状の変化又は足裏に接する内部形状のおうとつや、突起での変化で効果をもたらす物で、本考案の効果には該当しない。【０００７】  ００１２記載した、一定期間使用した履物の底面の踵以外を目視すると、幼児期からの個人の癖により、土踏まずの前から爪先部分では外側の部分が消耗する場合、よく転びやすいと、口にする人が多く見られる現象で、高齢者や運動を苦手とする子供に多くみられ、歩き始めの幼児期の子供を観察すると足首の未発達の為、同じような歩き方が見てとれる。これとは別に蹴り出しの際、親指付近で力強く蹴りだされていない為に、速く走れない又は、同じ距離を歩いても他の人より疲れやすい等に該当する人は、０００９記載の空間空洞室を持つ履物を使用すると改善と持続効果がある。【０００８】  履物の爪先部分が接地面に擦れにより、つまずく現象が高齢者に多く診られる現象で、この場合は蹴り出しの際、足首の状態が正しく運動出来ていない事で起こる為、０００７，０００８の形態を持つ履物を使用すると、つまずき現象際の球体の位置は空間空洞部の先端で、留まった状態で有る事を使用者が球体の質量で感じ、同時に進行方向の後方部壁面緩衝の衝撃が確認できない事を意識でき、改善持続効果がある。【０００９】  ００１２，００１３，００１４に記載した効果はリハビリ歩行を必要とされる人々には、球体の位置の変化により、側壁面に緩衝際の衝撃が信号として伝わり指導する側、指導受ける側双方共把握でき、目に障害のある人にも効果が期待できる。【００１０】  ０００７，０００８，０００９、００１０記載の履物に使用者が慣れ、自分自身の使用目的が理解出来るようになれば、図５及び図６複数の空間空洞室を持つ構造の履物を使用する事で、より継続的に改善効果が期待できる。
【図面の簡単な説明】
【００１１】
【図１】  土踏まず前の部分から、つま先手前までの空間空洞部を、履物の進行方向に対し平行で、地面に対しても平行にあたる空間部を持つ構造で、前後に移動可能な球体を密封した請求項１の履物の底面開口図である。
【図２】  進行方向に対し平行に設けた空間部に、より使用時の負荷を掛ける為に空間部の先端、および後端部を空洞室の中心部分に対し、湾曲若しくは傾斜を設けた構造で、前後に移動可能な球体を密封した、請求項２の履物の側面開口図である。
【図３】  土踏まずの前部分から、つま先手前までの間の部分に、空間空洞部を履物の進行方向に対し垂直（親指〜小指に平行）方向にあたる空間部を設けた構造で、左右に移動可能な球体を密封した、請求項１の履物の底面開口図である。
【図４】  踵の部分に空間空洞部を、履物の進行方向に対し垂直方向にあたる空間部を設けた構造で、左右に移動可能な球体を密封した、請求項１の履物の底面開口図である。
【図５】  複数の空間空洞室を持つ構造で履物の進行方向に対し垂直方向にあたる空間部を設け、左右方向に移動可能な球体を密封した、請求項１の履物の底面開口図である。
【図６】  複数の空間空洞室を持つ構造で、前後（進行方向に平行）、左右（進行方向に対し垂直）、方向に移動可能な球体を密封した、請求項１の履物の底面開口図である。
【図７】  複数の空間空洞室を持つ構造で、前後方向（進行方向に平行）、に移動可能な球体を密封した、請求項１の履物の底面開口図である。
【図８】  踵の部分に空間空洞部を持つ構造で、履物の進行方向に対し平行で、前後に移動可能な球体を密封した、請求項１の履物の底面開口図である。
【符号の説明】  ａ      空間空洞部
ｂ      球体
【発明を実施するための形態】
【００１２】  本考案の空間空洞室は運動エネルギーよる球体位置の変化を、着地の際は、靴底（足裏）と地面（床面）と接するごくわずかの一瞬、靴底（足裏の本来なら踵の部分）の、どの部分が最初に地面（床面）に接する部分か、靴の進行方向と空洞室の位置と形状の中にある球体の位置により、使用する本人自身が体感でき、又次の一歩の歩行、走行の場合は、正しく爪先部分での蹴り出しが出来ているか、靴の進行方向と空洞室の位置と、形状の中にある球体の位置により個人の歩行、走行の癖や目的に合わせ使用中に体感できる履物。
土踏まず前の部分から、つま先手前までの空間空洞部を、履物の進行方向に対し平行で、地面に対しても平行にあたる空間部を設ける靴の場合、踵の部分で着地後、足全体を着地し次の踏みだしの為に足を上げる際、正しく爪先で蹴り出しが出来ているか進行方向に対し平行に設けた空間部の先端部に球体が移動し、空間部の先端で球体が壁面に緩衝しているか意識でき、けり出しが出来ていない場合は、球体が爪先部の先端の空洞壁面に達していない事が意識でき正しい歩行、走行が可能になる請求項１履物。図面１
【００１３】  土踏まずの前部分から、つま先手前までの空間空洞部を、履物の進行方向に対し平行にあたる空間部を設ける履物の場合、踵の部分で着地後足全体を着面し、次の踏みだしの為に足を上げる際、靴の進行方向平行に設けた空間部に、より使用時の負荷を掛ける為に空間部の先端、および後端部を空洞室の中心部分に対し、湾曲若しくは傾斜を設けた構造の、請求項２の履物。図面２
【００１４】  土踏まずの前部分から、つま先手前までの間の部分に、空間空洞部を履物の進行方向に対し垂直（親指〜小指に平行）方向にあたる空間部を設ける履物の場合、踵の部分で着地後足全体を着面し次の踏みだしの為に足を上げる際、蹴り出しを強くするのが好ましく、この空間部での球体の位置は、親指部分の空間部側壁面が理想とされ、小指部分の空間部側壁面緩衝での球体位置では、力強い蹴り出しが出来ていない事が意識でき正しい歩行、走行が可能になる請求項１の履物。図面３
【００１５】  踵の部分に空間空洞部を、履物の進行方向に対し垂直方向にあたる空間部を設ける履物の場合、踵の部分での着地の際は、靴底（足裏）と地面（床面）との接するごくわずかの一瞬、本来なら踵の中央部分で着面するのが理想で、この場合空間部中央に球体が存在するが、外側壁面に緩衝又は内側壁面に緩衝し、歩行、走行の際、もっとも重要と考えられる着地の瞬間を、空間部形状の中にある球体の位置により意識でき、正しい歩行、走行が可能になる請求項１履物。図面４
【００１６】  請求項１ならびに、請求項２を特徴とする履物において、使用者の力量の強弱、及び使用時の慣れ不慣れにより、空間空洞部を密封しない状態の空間部を設け、履物若しくは靴の中敷（足裏の接触面）を着脱可能とし、球体の質量を交換できる目的とする請求項３を特徴とする履物。
【図１】
2016049426.tif 000003
【図２】
2016049426.tif 000004
【図３】
2016049426.tif 000005
【図４】
2016049426.tif 000006
【図５】
2016049426.tif 000007
【図６】
2016049426.tif 000008
【図７】
2016049426.tif 000009
【図８】
2016049426.tif 000010